(57)【要約】  空調制御の対象の室内の温度である室温を検出する室温センサー（１１）と、室内の湿度を検出する湿度センサー（１２）と、室温および湿度を用いて不快指数を計算する不快指数計算部（１３）と、ユーザーが操作するリモコン（２０）との間で通信を行い、リモコン（２０）から、ユーザーによって設定された設定室温と設定湿度、および、不快指数を用いた空調制御を行う不快指数制御モードの指示を取得する通信部（１４）と、不快指数制御モードの指示を受けた場合、不快指数を用いた空調制御を行う制御部（１５）と、を備える。
2018002990.tif 000002
【特許請求の範囲】
【請求項１】
空調制御の対象の室内の温度である室温を検出する室温センサーと、
前記室内の湿度を検出する湿度センサーと、
前記室温および前記湿度を用いて不快指数を計算する不快指数計算部と、
ユーザーが操作するリモコンとの間で通信を行い、前記リモコンから、前記ユーザーによって設定された設定室温と設定湿度、および、前記不快指数を用いた空調制御を行う不快指数制御モードの指示を取得する通信部と、
前記不快指数制御モードの指示を受けた場合、前記不快指数を用いた空調制御を行う制御部と、
を備えることを特徴とする空気調和機。
【請求項２】
前記不快指数制御モードには室温優先モードおよび湿度優先モードがあり、
前記制御部は、前記室温優先モードの場合、優先的に前記室温が前記設定室温になるように空調制御を行い、前記湿度優先モードの場合、優先的に前記湿度が前記設定湿度になるように空調制御を行う、
ことを特徴とする請求項１に記載の空気調和機。
【請求項３】
前記不快指数の情報を表示する表示部、
を備え、
前記制御部は、前記不快指数の情報を前記表示部に表示させる、
ことを特徴とする請求項１または２に記載の空気調和機。
【請求項４】
前記表示部は数値を表示することが可能であり、
前記制御部は、前記不快指数の値を前記表示部に表示させる、
ことを特徴とする請求項３に記載の空気調和機。
【請求項５】
前記表示部は発光ダイオードを備え、
前記制御部は、前記不快指数の値に対応した色で前記発光ダイオードを点灯させる、
ことを特徴とする請求項３または４に記載の空気調和機。
【請求項６】
前記空調制御の運転停止中において、
前記室温センサーは、前記室温を検出し、
前記湿度センサーは、前記湿度を検出し、
前記不快指数計算部は、前記室温および前記湿度を用いて不快指数を計算し、
前記制御部は、前記不快指数が不快レベルの場合、送信する情報があることを示す表示を前記表示部に表示させ、前記リモコンから前記ユーザーによる送信要求があったときは、前記不快指数の情報を前記通信部から前記リモコンに送信させる、
ことを特徴とする請求項３から５のいずれか１つに記載の空気調和機。
【請求項７】
前記制御部は、前記通信部経由で前記リモコンから空調制御の運転開始の要求を受けた場合、前記不快指数制御モードによる空調制御を開始する、
ことを特徴とする請求項６に記載の空気調和機。
【発明の詳細な説明】
【技術分野】
【０００１】
本発明は、不快指数を計算して空調制御を行う空気調和機に関する。
【背景技術】
【０００２】
従来、空気調和機は、室温センサーで室温を検出し、湿度センサーで湿度を検出し、検出した室温および湿度が、ユーザーが設定した設定室温および設定湿度になるように空調制御を行う。しかしながら、空気調和機は、室温および湿度を各々独立に制御していたため、ユーザーに対して、設定室温および設定湿度になるまでの空調制御の過程において快適性を実現できていない場合があった。特許文献１には、空気調和機が、検出した室温および湿度から不快指数を計算し、不快指数が所定の範囲に収まるように空調制御を行う技術が開示されている。
【先行技術文献】
【特許文献】
【０００３】
【特許文献１】特開平６−１８０１３７号公報
【発明の概要】
【発明が解決しようとする課題】
【０００４】
不快指数は室温および湿度を用いて算出されることから、不快指数を改善するには室温または湿度の一方または両方を変更する必要がある。また、ユーザーによって、優先的に室温を設定室温にしてほしい、または優先的に湿度を設定湿度にしてほしいなど、空調制御の好みが異なる。しかしながら、特許文献１に記載の空気調和機は、決められた制御ルールで空調制御を行う。そのため、設定室温および設定湿度になるまでの空調制御の過程において、ユーザーによっては快適性を得られない場合がある、という問題があった。【０００５】
本発明は、上記に鑑みてなされたものであって、不快指数を用いた空調制御において、ユーザーの快適性を向上可能な空気調和機を得ることを目的とする。
【課題を解決するための手段】
【０００６】
上述した課題を解決し、目的を達成するために、本発明に係る空気調和機は、空調制御の対象の室内の温度である室温を検出する室温センサーと、室内の湿度を検出する湿度センサーと、室温および湿度を用いて不快指数を計算する不快指数計算部と、を備える。また、空気調和機は、ユーザーが操作するリモコンとの間で通信を行い、リモコンから、ユーザーによって設定された設定室温と設定湿度、および、不快指数を用いた空調制御を行う不快指数制御モードの指示を取得する通信部と、不快指数制御モードの指示を受けた場合、不快指数を用いた空調制御を行う制御部と、を備えることを特徴とする。
【発明の効果】
【０００７】
本発明に係る空気調和機は、不快指数を用いた空調制御において、ユーザーの快適性を向上できる、という効果を奏する。
【図面の簡単な説明】
【０００８】
【図１】実施の形態１に係る空気調和機を含む空気調和機システムの構成例を示すブロック図
【図２】実施の形態１に係る空気調和機の空調制御の動作を示すフローチャート
【図３】実施の形態１に係る空気調和機の制御部が不快指数制御モードにおいて室温優先モードが選択された場合の空調制御の動作を示すフローチャート
【図４】実施の形態１に係る空気調和機で計算される不快指数と快適レベルおよび不快レベルの対比を示す図
【図５】実施の形態１に係る空気調和機の制御部が不快指数制御モードにおいて湿度優先モードが選択された場合の空調制御の動作を示すフローチャート
【図６】実施の形態１に係る空気調和機の不快指数計算部および制御部をＣＰＵおよびメモリで構成する場合の例を示す図
【図７】実施の形態１に係る空気調和機の不快指数計算部および制御部を専用のハードウェアで構成する場合の例を示す図
【図８】実施の形態２に係る空気調和機が不快指数の情報を表示する動作を示すフローチャート
【図９】実施の形態２に係る空気調和機において不快指数の値に対応した色でＬＥＤを点灯させたときの色の例を示す図
【図１０】実施の形態２に係る空気調和機が運転停止中において不快指数の情報をリモコンに通知する動作を示すフローチャート
【発明を実施するための形態】
【０００９】
以下に、本発明の実施の形態に係る空気調和機を図面に基づいて詳細に説明する。なお、この実施の形態によりこの発明が限定されるものではない。
【００１０】
実施の形態１．
図１は、本発明の実施の形態１に係る空気調和機１０を含む空気調和機システム３０の構成例を示すブロック図である。空気調和機システム３０は、空気調和機１０と、リモートコントローラ（以下、リモコンとする）２０と、を備える。空気調和機１０は、ユーザーによる空調制御の設定情報をリモコン２０から取得し、空調制御の対象の室内において空調制御を行う。なお、図１では空気調和機１０およびリモコン２０がワイヤレスすなわち無線通信を行う例を示しているが、有線通信であってもよい。
【００１１】
空気調和機１０は、室温センサー１１と、湿度センサー１２と、不快指数計算部１３と、通信部１４と、制御部１５と、表示部１６と、ファンモータ１７と、を備える。
【００１２】
室温センサー１１は、空気調和機１０が空調制御を行う対象の室内の温度である室温を検出する。
【００１３】
湿度センサー１２は、空気調和機１０が空調制御を行う対象の室内の湿度を検出する。
【００１４】
不快指数計算部１３は、室温センサー１１で検出された室温、および湿度センサー１２で検出された湿度を用いて、不快指数を計算する。不快指数計算部１３は、例えば、次の式（１）を用いて不快指数を計算する。なお、式（１）において、Ｔは室温（℃）、Ｈは湿度（％）である。
【００１５】
０．８１Ｔ＋０．０１Ｈ（０．９９Ｔ−１４．３）＋４６．３  …（１）
【００１６】
通信部１４は、ユーザーが操作するリモコン２０との間で通信を行う。通信部１４は、リモコン２０から、ユーザーによって設定された空調制御において目標の室内の温度である設定室温、ユーザーによって設定された空調制御において目標の室内の湿度である設定湿度、および、不快指数を用いた空調制御を行う不快指数制御モードの指示などを取得する。
【００１７】
制御部１５は、ユーザーから不快指数制御モードの制御モードが指示された場合、不快指数計算部１３で計算された不快指数を用いて、ファンモータ１７などの動作を制御して、冷房、暖房、送風、除湿、加湿などの運転モードを自動で切り替えて空調制御を行う。
【００１８】
表示部１６は、室温センサー１１で検出された室温、または湿度センサー１２で検出された湿度などを表示する。
【００１９】
ファンモータ１７は、空気調和機１０の空調制御において、制御部１５によって風速が制御される。
【００２０】
リモコン２０は、通信部２１と、表示部２２と、操作部２３と、を備える。
【００２１】
通信部２１は、操作部２３においてユーザーによって設定された設定室温、設定湿度、不快指数制御モードの指示を空気調和機１０に送信する。
【００２２】
表示部２２は、操作部２３で設定される情報、および空気調和機１０から取得した情報などを表示する。
【００２３】
操作部２３は、ユーザーによって設定室温、設定湿度、不快指数制御モードの指示などを受け付ける。
【００２４】
つづいて、空気調和機１０の空調制御の動作について説明する。図２は、実施の形態１に係る空気調和機１０の空調制御の動作を示すフローチャートである。まず、空気調和機１０において、室温センサー１１は、空調制御対象の室内の室温を検出する（ステップＳ１）。湿度センサー１２は、室内の湿度を検出する（ステップＳ２）。不快指数計算部１３は、室温センサー１１で検出された室温、および湿度センサー１２で検出された湿度を用いて、前述の式（１）により不快指数を計算する（ステップＳ３）。
【００２５】
制御部１５は、現在の制御モードが不快指数制御モードか否か、すなわち通信部１４経由でリモコン２０から不快指数制御モードの指示を受けているか否かを確認する（ステップＳ４）。現在の制御モードが不快指数制御モード、すなわち通信部１４経由でリモコン２０から不快指数制御モードの指示を受けている場合（ステップＳ４：Ｙｅｓ）、制御部１５は、不快指数制御モードにおいて設定されている優先モードを確認する（ステップＳ５）。ここで、優先モードには、優先的に室温が設定室温になるように空調制御を行う室温優先モード、および、優先的に湿度が設定湿度になるように空調制御を行う湿度優先モードがある。
【００２６】
優先モードが室温優先モードの場合（ステップＳ５：室温優先モード）、制御部１５は、室温優先モードで、すなわち優先的に室温が設定室温になるように空調制御を行う（ステップＳ６）。一方、優先モードが湿度優先モードの場合（ステップＳ５：湿度優先モード）、制御部１５は、湿度優先モードで、すなわち優先的に湿度が設定室温になるように空調制御を行う（ステップＳ７）。
【００２７】
なお、不快指数制御モードの優先モードが室温優先モードまたは湿度優先モードについて、ユーザーがリモコン２０から、不快指数制御モードを選択し、さらに室温優先モードまたは湿度優先モードを選択する２段階で設定してもよいし、室温優先モードまたは湿度優先モードだけを選択する１段階で設定してもよい。１段階で設定される場合、空気調和機１０の制御部１５は、リモコン２０から室温優先モードが設定されたときは、不快指数制御モードにおいて室温優先モードで空調制御を行い、リモコン２０から湿度優先モードが設定されたときは、不快指数制御モードにおいて湿度優先モードで空調制御を行う。
【００２８】
ステップＳ４に戻って、現在の制御モードが不快指数制御モードではない、すなわち通信部１４経由でリモコン２０から不快指数制御モードの指示を受けていない場合（ステップＳ４：Ｎｏ）、制御部１５は、背景技術で説明した、不快指数を用いた従来からある通常の空調制御を行う（ステップＳ８）。
【００２９】
具体的に、図２のステップＳ６に示す室温優先モードによる空調制御、および図２のステップＳ７に示す湿度優先モードによる空調制御について、制御部１５の詳細な動作を説明する。
【００３０】
図３は、実施の形態１に係る空気調和機１０の制御部１５が不快指数制御モードにおいて室温優先モードが選択された場合の空調制御の動作を示すフローチャートである。室温優先モードは、制御部１５が、室温センサー１１で検出される室温が、ユーザーが設定した設定室温になるように制御し、さらに湿度を制御することによって不快指数が快適レベルになるように制御するモードである。
【００３１】
ここで、不快指数と、ユーザーの体感、不快レベルの関係について説明する。図４は、実施の形態１に係る空気調和機１０で計算される不快指数と快適レベルおよび不快レベルの対比を示す図である。図４は、式（１）を用いて計算された不快指数におけるユーザーの体感、およびレベルの名称を示すものである。一般的なユーザーの場合、不快指数６０以上７５未満の場合が快適と感じ、不快指数６５以上７０未満の場合が最も快適と感じる。また、一般的なユーザーは、不快指数６０未満の場合に寒くて不快と感じ、不快指数７５以上の場合に暑くて不快と感じる。そのため、空気調和機１０の制御部１５は、不快指数が６０未満または７５以上の場合、不快指数が６０以上７４以下になるように室温および湿度を制御し、さらに、不快指数が６５以上７０未満になるように室温および湿度を制御する。なお、上記の「以上」および「未満」は一例であって、例えば、「６５以上７０未満」の表記に替えて「６５より大きく７０以下」のように表記してもよい。
【００３２】
図３のフローチャートにおいて、制御部１５は、冷房、暖房、送風の運転モードを自動で選択し、室温センサー１１で検出された室温とユーザーによって設定された設定室温との差分を小さくするように室温を制御する（ステップＳ１１）。差分を小さくするとは、室温を設定室温に近づける、すなわち室温から設定室温を減算した値の絶対値を小さくすることである。室温と設定室温との差分が小さくならない場合（ステップＳ１２：Ｎｏ）、制御部１５は、ステップＳ１１の処理を継続する。室温と設定室温との差分が小さくなった場合（ステップＳ１２：Ｙｅｓ）、制御部１５は、つぎに、除湿、加湿の運転モードを自動で選択し、不快指数が快適レベルになるように湿度を制御する(ステップＳ１３)。
【００３３】
制御部１５は、室温および湿度を制御したことによって不快指数計算部１３で計算された最新の不快指数が、図４に示す快適レベルの範囲にあるか否かを確認する（ステップＳ１４）。不快指数が快適レベルの範囲外の場合（ステップＳ１４：Ｎｏ）、制御部１５は、継続して湿度を制御する（ステップＳ１３）。不快指数が快適レベルの範囲内の場合（ステップＳ１４：Ｙｅｓ）、制御部１５は、室温＝設定室温か否か、すなわち、室温と設定室温とが一致するか否かを確認する（ステップＳ１５）。なお、制御部１５は、室温と設定室温とが一致するか否かの判断について、厳密に値が一致していなくても、室温が設定室温に対して規定された範囲内、例えば設定室温±１℃の範囲内であれば、室温と設定室温とは一致していると判断してもよい。室温＝設定室温ではない場合（ステップＳ１５：Ｎｏ）、制御部１５は、ステップＳ１１に戻って室温の制御を継続する。室温＝設定室温の場合（ステップＳ１５：Ｙｅｓ）、制御部１５は、処理を終了する。
【００３４】
図５は、実施の形態１に係る空気調和機１０の制御部１５が不快指数制御モードにおいて湿度優先モードが選択された場合の空調制御の動作を示すフローチャートである。湿度優先モードは、制御部１５が、湿度センサー１２で検出される湿度が、ユーザーが設定した設定湿度になるように制御し、さらに室温を制御することによって不快指数が快適レベルになるように制御するモードである。
【００３５】
図５のフローチャートにおいて、制御部１５は、除湿、加湿の運転モードを自動で選択し、湿度センサー１２で検出された湿度とユーザーによって設定された設定湿度との差分を小さくするように室温を制御する（ステップＳ２１）。差分を小さくするとは、湿度を設定湿度に近づける、すなわち湿度から設定湿度を減算した値の絶対値を小さくすることである。湿度と設定湿度との差分が小さくならない場合（ステップＳ２２：Ｎｏ）、制御部１５は、ステップＳ２１の処理を継続する。湿度と設定湿度との差分が小さくなった場合（ステップＳ２２：Ｙｅｓ）、制御部１５は、つぎに、冷房、暖房、送風の運転モードを自動で選択し、不快指数が快適レベルになるように室温を制御する(ステップＳ２３)。
【００３６】
制御部１５は、湿度および室温を制御したことによって不快指数計算部１３で計算された最新の不快指数が、図４に示す快適レベルの範囲にあるか否かを確認する（ステップＳ２４）。不快指数が快適レベルの範囲外の場合（ステップＳ２４：Ｎｏ）、制御部１５は、継続して室温を制御する（ステップＳ２３）。不快指数が快適レベルの範囲内の場合（ステップＳ２４：Ｙｅｓ）、制御部１５は、湿度＝設定湿度か否か、すなわち、湿度と設定湿度とが一致するか否かを確認する（ステップＳ２５）。なお、制御部１５は、湿度と設定湿度とが一致するか否かの判断について、厳密に値が一致していなくても、湿度が設定湿度に対して規定された範囲内、例えば設定湿度±３％の範囲内であれば、湿度と設定湿度とは一致していると判断してもよい。湿度＝設定湿度ではない場合（ステップＳ２５：Ｎｏ）、制御部１５は、ステップＳ２１に戻って湿度の制御を継続する。湿度＝設定湿度の場合（ステップＳ２５：Ｙｅｓ）、制御部１５は、処理を終了する。
【００３７】
つづいて、空気調和機１０のハードウェア構成について説明する。空気調和機１０において、室温センサー１１は室温を計測する計測器により実現される。湿度センサー１２は湿度を計測する計測器により実現される。通信部１４はリモコン２０との間で通信を行う無線通信または有線通信のインターフェース回路により実現される。表示部１６はＬＣＤ（Liquid  Crystal  Display）などにより実現される。ファンモータ１７はファンおよびファンを回転させるモータにより実現される。不快指数計算部１３および制御部１５は処理回路により実現される。すなわち、空気調和機１０は、不快指数を計算し、不快指数を用いて室温または湿度を優先して空調制御を行うための処理回路を備える。処理回路は、専用のハードウェアであってもよいし、メモリに格納されるプログラムを実行するＣＰＵ（Central  Processing  Unit）およびメモリであってもよい。
【００３８】
図６は、実施の形態１に係る空気調和機１０の不快指数計算部１３および制御部１５をＣＰＵおよびメモリで構成する場合の例を示す図である。処理回路がＣＰＵ９１およびメモリ９２で構成される場合、不快指数計算部１３および制御部１５の各機能は、ソフトウェア、ファームウェア、またはソフトウェアとファームウェアとの組み合わせにより実現される。ソフトウェアまたはファームウェアはプログラムとして記述され、メモリ９２に格納される。処理回路では、メモリ９２に記憶されたプログラムをＣＰＵ９１が読み出して実行することにより、各機能を実現する。すなわち、空気調和機１０は、不快指数計算部１３および制御部１５が処理回路により実行されるときに、不快指数を計算するステップ、不快指数を用いて室温または湿度を優先して空調制御を行うステップが結果的に実行されることになるプログラムを格納するためのメモリ９２を備える。また、これらのプログラムは、空気調和機１０の手順および方法をコンピュータに実行させるものであるともいえる。ここで、ＣＰＵ９１は、処理装置、演算装置、マイクロプロセッサ、マイクロコンピュータ、プロセッサ、またはＤＳＰ（Digital  Signal  Processor）などであってもよい。また、メモリ９２とは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００３９】
図７は、実施の形態１に係る空気調和機１０の不快指数計算部１３および制御部１５を専用のハードウェアで構成する場合の例を示す図である。処理回路が専用のハードウェアである場合、図７に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。不快指数計算部１３および制御部１５の各機能を機能別に処理回路９３で実現してもよいし、各機能をまとめて処理回路９３で実現してもよい。
【００４０】
なお、不快指数計算部１３および制御部１５の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００４１】
以上説明したように、本実施の形態によれば、空気調和機１０では、検出した室温および湿度から不快指数を計算し、不快指数を用いた不快指数制御モードの空調制御において、ユーザーが好みの設定室温を設定し、検出された室温を設定室温に近づけた状態で湿度を制御し、不快指数を快適な値になるようにする室温優先モード、または、ユーザーが好みの設定湿度を設定し、検出された湿度を設定湿度に近づけた状態で室温を制御し、不快指数を快適な値になるようにする湿度優先モードにより、室内環境を制御することとした。これにより、空気調和機１０は、不快指数を用いた空調制御において、ユーザーの好みに合わせて空調制御を行うことができ、ユーザーの快適性を向上することができる。
【００４２】
実施の形態２．
実施の形態２では、空気調和機１０が、計算した不快指数の情報を表示する。実施の形態１と異なる部分について説明する。
【００４３】
空気調和機１０およびリモコン２０を含む空気調和機システム３０の構成は、実施の形態１と同様である（図１参照）。実施の形態２において、表示部１６は、不快指数計算部１３で計算された不快指数の情報などを表示する。表示部１６は、例えば、文字および数字などを表示可能であり、不快指数の値を表示可能なＬＣＤを備える。また、表示部１６は、異なる色で点灯可能な発光ダイオードすなわちＬＥＤ（Light  Emitting  Diode）を備える。空気調和機１０では、制御部１５が、不快指数計算部１３で計算された不快指数の情報を表示部１６に表示する。これにより、空気調和機１０は、ユーザーに対して現在の快適さの状態、すなわち不快指数の状態を認識させることができる。
【００４４】
つづいて、空気調和機１０が不快指数の情報を表示する動作について説明する。図８は、実施の形態２に係る空気調和機１０が不快指数の情報を表示する動作を示すフローチャートである。なお、ステップＳ３１からステップＳ３４までの処理は、実施の形態１の図２に示すフローチャートのステップＳ１からステップＳ４までの処理と同様である。そのため、空気調和機１０は、実施の形態１においてステップＳ１からステップＳ４までの処理を行い、ステップＳ５以降の処理を行うとともに、後述するステップＳ３５以降の処理を並行して行うことも可能である。
【００４５】
制御部１５は、現在の制御モードが不快指数制御モードではない、すなわち通信部１４経由でリモコン２０から不快指数制御モードの指示を受けていない場合（ステップＳ３４：Ｎｏ）、処理を終了する。制御部１５は、現在の制御モードが不快指数制御モード、すなわち通信部１４経由でリモコン２０から不快指数制御モードの指示を受けている場合（ステップＳ３４：Ｙｅｓ）、不快指数計算部１３で計算された不快指数の値を、表示部１６に表示させる制御を行う（ステップＳ３５）。さらに、制御部１５は、不快指数の値に対応した色で、表示部１６のＬＥＤを点灯させる（ステップＳ３６）。図９は、実施の形態２に係る空気調和機１０において不快指数の値に対応した色でＬＥＤを点灯させたときの色の例を示す図である。実施の形態１で示した図４に対して、不快レベルなどのレベルの部分をＬＥＤの色に置き換えたものである。制御部１５は、例えば、不快指数が６３の場合は白色でＬＥＤを点灯させる。
【００４６】
なお、表示部１６は、ＬＣＤおよびＬＥＤの両方を備えなくてもよく、いずれか一方を備えることも可能である。制御部１５は、表示部１６がＬＣＤのみ備える場合はステップＳ３５の処理を実施し、ステップＳ３６の処理を省略する。また、制御部１５は、表示部１６がＬＥＤのみ備える場合はステップＳ３６の処理を実施し、ステップＳ３５の処理を省略する。また、表示部１６が複数のＬＥＤを備える場合、制御部１５は、不快指数の値によって点灯させるＬＥＤを替えることで、ユーザーに対して現在の快適さの状態、すなわち不快指数の状態を認識させることも可能である。
【００４７】
以上説明したように、本実施の形態によれば、空気調和機１０では、制御部１５が、表示部１６に不快指数の情報を表示することとした。これにより、実施の形態１と同様の効果を得るとともに、ユーザーに対して、室内の快適さの状態を認識させることができる。
【００４８】
実施の形態３．
実施の形態３では、空気調和機１０が、空調制御の運転停止中においても不快指数を計算し、不快指数が不快レベルの場合に不快指数の情報をユーザーすなわちリモコン２０に通知する方法について説明する。実施の形態１，２と異なる部分について説明する。
【００４９】
空気調和機１０およびリモコン２０を含む空気調和機システム３０の構成は、実施の形態１と同様である（図１参照）。実施の形態３において、表示部１６は、ユーザーに対して送信する情報があることを示す表示をする。ユーザーに対して送信する情報とは、不快指数の値が不快レベルにある不快指数の情報である。表示部１６は、実施の形態２で説明したように、ＬＣＤを備える場合、ユーザーに対して文字で送信する情報があることを表示してもよい。また、表示部１６は、ＬＥＤを備える場合、特定の色で点灯することで、ユーザーに対して送信する情報があることを示してもよいし、ＬＥＤが複数ある場合には、特定のＬＥＤを点灯することで、ユーザーに対して送信する情報があることを示してもよい。これにより、空気調和機１０は、ユーザーに対して、送信する情報があることを認識させることができる。
【００５０】
つづいて、空気調和機１０が不快指数の情報をリモコン２０に通知する動作について説明する。図１０は、実施の形態２に係る空気調和機１０が運転停止中において不快指数の情報をリモコン２０に通知する動作を示すフローチャートである。なお、ステップＳ４１からステップＳ４３までの処理は、実施の形態１の図２に示すフローチャートのステップＳ１からステップＳ３までの処理と同様であるが、空気調和機１０は、実施の形態３ではこれらの処理を空調制御の運転停止中に行うものとする。
【００５１】
制御部１５は、不快指数計算部１３で計算された不快指数が不快レベルか否かを確認する（ステップＳ４４）。制御部１５は、図４に示す内容から、不快指数が６０未満、または不快指数が７５以上の場合、不快レベルと判断する。不快指数計算部１３で計算された不快指数が不快レベルの場合（ステップＳ４４：Ｙｅｓ）、制御部１５は、表示部１６に、ユーザーすなわちリモコン２０に対して送信する情報があることを示す表示、すなわちお知らせがある旨を表示させる（ステップＳ４５）。ここで、お知らせがある旨の表示を確認したユーザーは、お知らせの内容を確認したい場合、リモコン２０を操作して、空気調和機１０に対して、お知らせの内容をリモコン２０に送信するよう送信要求を送る。
【００５２】
制御部１５は、通信部１４経由でリモコン２０すなわちユーザーから、リモコン２０への送信要求があったか否かを確認する（ステップＳ４６）。リモコン２０への送信要求があった場合（ステップＳ４６：Ｙｅｓ）、制御部１５は、通信部１４経由で不快指数の情報をリモコン２０に送信する（ステップＳ４７）。不快指数の情報を取得したリモコン２０は、表示部２２に不快指数の情報を表示する。これにより、ユーザーは、室内が不快レベルにあることを認識することができる。ユーザーは、不快レベルを解消したい場合、リモコン２０を操作して空気調和機１０に対して、空調制御の運転開始を指示する。
【００５３】
制御部１５は、通信部１４経由でリモコン２０から空調制御の運転開始の要求を受けた場合（ステップＳ４８：Ｙｅｓ）、不快指数制御モードで空調制御の運転を開始する（ステップＳ４９）。この場合、制御部１５は、リモコン２０から不快指数制御モードによる空調制御の要求を受けていなくても、不快指数制御モードで空調制御の運転を開始する。なお、優先モードが設定されていない場合、制御部１５は、以前に不快指数制御モードで空調制御を行ったことがあるときは前回不快指数制御モードで空調制御を行ったときと同じ優先モードで空調制御を行う。以前に不快指数制御モードで空調制御を行っていない場合、制御部１５は、前述のお知らせがある旨の表示と同様、ユーザーに対して優先モードの設定を促す表示をしてもよい。
【００５４】
なお、制御部１５は、不快指数計算部１３で計算された不快指数が不快レベルではない場合（ステップＳ４４：Ｎｏ）、リモコン２０への送信要求がなかった場合（ステップＳ４６：Ｎｏ）、および通信部１４経由でリモコン２０から運転開始の要求を受けなかった場合（ステップＳ４８：Ｎｏ）、処理を終了する。
【００５５】
以上説明したように、本実施の形態によれば、空気調和機１０では、空調制御の運転停止中も不快指数を計算し、不快指数が不快レベルの場合、ユーザーから要求があったときはユーザーに対して不快指数の情報を送信することとした。これにより、空気調和機１０は、ユーザーに対して室内が不快レベルにあることを通知し、空気調和機１０の運転を促すことができる。
【００５６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５７】
１０  空気調和機、１１  室温センサー、１２  湿度センサー、１３  不快指数計算部、１４，２１  通信部、１５  制御部、１６，２２  表示部、１７  ファンモータ、２０  リモコン、２３  操作部、３０  空気調和機システム。
【図１】
2018002990.tif 000003
【図２】
2018002990.tif 000004
【図３】
2018002990.tif 000005
【図４】
2018002990.tif 000006
【図５】
2018002990.tif 000007
【図６】
2018002990.tif 000008
【図７】
2018002990.tif 000009
【図８】
2018002990.tif 000010
【図９】
2018002990.tif 000011
【図１０】
2018002990.tif 000012
【国際調査報告】
2018002990.tif 000013
2018002990.tif 000014
2018002990.tif 000015
2018002990.tif 000016